(57)【要約】  この要約で述べられた技術的特徴は括弧内に参照数字を含んでいない（ＰＣＴ規則８．１（ｄ））。ホスト装置からデバイスへ構成ファイルを取り出すためのシステム、方法及びコンピュータ読み取り可能な媒体が開示される。メディア装置により、システム、方法及びコンピュータ読み取り可能な媒体は周囲状態が変化したことを検知することができるので、メディア装置は少なくとも１つの周囲状態を利用することができる。周囲状態の変化が生じたことをメディア装置が決定すると、メディア装置は所定のホスト装置から構成ファイルを取り出すことができる。
2008547126.tif 000002
【特許請求の範囲】
【請求項１】
１つ以上のホスト装置から少なくとも１つの装置へ構成ファイルを取り出すシステムであって、
装置のそのときの特性と能力とをホスト装置へ送信するためのインターフェースであって、前記ホスト装置から前記装置へ少なくとも１つの構成ファイルを自動的に取り出すインターフェースと、
前記ホスト装置から前記少なくとも１つの構成ファイルを自動的に取り出すべき時点を検知するための検知装置と、
前記装置上に前記少なくとも１つの構成ファイルを記憶するための記憶装置と、
を具備するシステム。
【請求項２】
前記少なくとも１つの構成ファイルが、少なくとも１つの群の予め構成された装置特性設定と一群の予め構成された特定ユーザ向け特性設定とを含む、請求項１に記載のシステム。
【請求項３】
前記装置が前記少なくとも１つの構成ファイルを利用できるよう、前記少なくとも１つの周囲状態が変化したことを前記検知装置が検知したとき、前記ホスト装置から前記装置へ前記少なくとも１つの構成ファイルが取り出される、請求項２に記載のシステム。
【請求項４】
前記少なくとも１つの周囲状態を測定し、少なくとも１つの以前に記憶したデフォルト構成ファイルと比較することにより、前記検知装置が前記少なくとも１つの周囲状態の変化が生じたことを検知する、請求項３に記載のシステム。
【請求項５】
前記少なくとも１つの以前に記憶したデフォルト構成ファイルが前記の測定された周囲状態を扱うようになされていないとき、前記少なくとも１つの構成ファイルを取り出すことを要する変化が生じたことを前記検知装置が検知する、請求項４に記載のシステム。
【請求項６】
前記少なくとも１つの構成ファイルが前記ホスト装置によって管理され、前記少なくとも１つの構成ファイルを保護し、バックアップし、修復することを含む、請求項１に記載のシステム。
【請求項７】
前記少なくとも１つの構成ファイルを取り出す前に、少なくとも１つの前記装置と前記ホスト装置とが、検索時に直ちに前記少なくとも１つの構成ファイルを適用するか、将来のどこかの時点に前記少なくとも１つの構成ファイルを適用するかを決定することを更に含む、請求項１に記載のシステム。
【請求項８】
少なくとも１つのホスト装置から少なくとも１つの装置へ構成ファイルを取り出すための方法であって、
装置が少なくとも１つの構成ファイルを利用できるように、少なくとも１つの周囲状態が変化したときを検知するステップと、
前記装置が少なくとも１つの構成ファイルを利用できるように、前記少なくとも１つの周囲状態が変化したときを検知すると、前記少なくとも１つの構成ファイルをホスト装置から自動的に取り出すステップと、
を備える方法。
【請求項９】
前記少なくとも１つの周囲状態を測定し、少なくとも１つの予め記憶されたデフォルト構成ファイルと比較することによって、前記少なくとも１つの周囲状態の変化が存在することを検知するステップを更に備える、請求項８に記載の方法。
【請求項１０】
前記少なくとも１つの予め記憶されたデフォルト構成ファイルが前記少なくとも１つの周囲状態を扱うようになされていないとき、前記少なくとも１つの構成ファイルの自動取り出しを要する変化が生じたことを検知するステップを更に備える、請求項９に記載の方法。
【請求項１１】
前記ホスト装置から取り出した前記少なくとも１つの構成ファイルを新たなデフォルト構成ファイルとして設定するステップを更に備える、請求項１０に記載の方法。
【請求項１２】
前記新たなデフォルト構成ファイルがその後に測定された周囲状態を扱うようになされていないことを前記検知装置が検知したとき、別の構成ファイルを取り出すステップを更に備える、請求項１１に記載の方法。
【請求項１３】
前記少なくとも１つの構成ファイルを前記ホスト装置からマニュアルで取り出すステップを更に備える、請求項８に記載の方法。
【請求項１４】
前記少なくとも１つの構成ファイルを取り出す前に、検索時に直ちに前記少なくとも１つの構成ファイルを適用するか、将来のどこかの時点に前記少なくとも１つの構成ファイルを適用するかを決定することを更に含む、請求項８に記載の方法。
【請求項１５】
少なくとも１つのホスト装置から少なくとも１つの装置へ構成ファイルを取り出すための方法を実行するための命令を持つ１つ以上のコンピュータ読み取り可能な媒体であって、
装置が少なくとも１つの構成ファイルを利用できるよう、少なくとも１つの周囲状態が変化したときを検知すること、及び、
前記装置が前記少なくとも１つの構成ファイルを利用できるよう、前記少なくとも１つの周囲状態が変化したことを検知すると、ホスト装置から前記少なくとも１つの構成ファイルを自動的に取り出すこと
を含むコンピュータ読み取り可能な媒体。
【請求項１６】
前記少なくとも１つの構成ファイルが、少なくとも１つの群の予め構成された装置特性設定と一群の予め構成された特定ユーザ向け特性設定とを含む、請求項１５に記載のコンピュータ読み取り可能な媒体。
【請求項１７】
前記少なくとも１つの周囲状態を測定し、少なくとも１つの以前に記憶したデフォルト構成ファイルと比較することにより、前記検知装置が前記少なくとも１つの周囲状態の変化が存在することを検知することを更に含む、請求項１５に記載のコンピュータ読み取り可能な媒体。
【請求項１８】
前記少なくとも１つの予め記憶されたデフォルト構成ファイルが前記少なくとも１つの周囲状態を扱うようになされていないとき、前記少なくとも１つの構成ファイルの自動取り出しを要する変化が生じたことを検知するステップを更に備える、請求項１６に記載のコンピュータ読み取り可能な媒体。
【請求項１９】
前記少なくとも１つの周囲状態が変化する前に、前記少なくとも１つの構成ファイルを取り出すべきホスト装置を予め選択することを更に含む、請求項１５に記載のコンピュータ読み取り可能な媒体。
【請求項２０】
前記装置の特性及び能力に関する情報を前記ホスト装置へ送信し、前記ホスト装置が、前記少なくとも１つの構成ファイルと前記装置のそのときの状態との間の必要な設定を同期させることを更に含む、請求項１５に記載のコンピュータ読み取り可能媒体。
【発明の詳細な説明】
【技術分野】
【０００１】
背景
デジタルカメラ、ビデオカメラ、携帯メディアプレイヤ、携帯電話、ＧＰＳ受信機等の携帯装置は、かなり複雑な装置である。コンテンツを捕捉することのできる携帯装置（例えばデジタルカメラ）やコンテンツを表現する携帯装置（例えばメディアプレイ）は、正しく構成されたとき、ユーザ経験の質を大幅に向上させることができる装置設定を持つことができる。例えば、デジタルカメラの場合、撮った写真の質に貢献することができる多くの装置設定が存在する。デジタルカメラに対するこうした設定は、絞り設定、露光時間、ズームモード、フラッシュ等を含む。また、設定は或る条件の下でのみ適用可能である。デジタルカメラの例において、カメラに対する所与の設定は、或る周囲状態の下でのみ適用可能である。例えば、夜間のショットは特定の絞りと露光時間を必要とし、その結果、夜間のシーンの優れた写真ができる。同じ構成のままだと、昼間であれば質の悪いスナップショットを作る。写真技術の素人である平均的な人間が、任意の所与の周囲環境において最適な写真を撮ることができるようにデジタルカメラを正しく構成する方法を知らないときに、問題が生じる。
【０００２】
また、携帯装置は、容量及び処理能力が増すにつれ、世界中の多くの人の日常生活において果たす役割が増大している。こうした装置の多くは、パーソナルコンピュータとは独立に動作することができる。例えば家族のような複数のユーザが携帯装置を異なる時間に使用する場合を含む、多くの場合の携帯装置は個人化され、ユーザの嗜好に合うよう動作がカスタマイズされる。また、家庭において共有されるコンピュータの多くは、ユーザプロフィールと呼ばれる、ユーザの嗜好の集合体を維持する。異なるユーザプロフィールの集合体をパーソナルコンピュータに維持することが望ましいように、ユーザプロフィールの集合体を携帯装置に維持することが望ましい。
【０００３】
概要
ホスト装置から構成ファイルを取り出すための、現技術に見出される問題を克服するシステムが開示される。このシステムは、装置のそのときの特性と能力とをホスト装置へ送信するインターフェースを備えることができ、インターフェースはホスト装置から装置へ自動的に構成ファイルを取り出すようになされている。また、システムは、ホスト装置から構成ファイルを自動的に取り出すべき時点を検知する検知装置を備える。更に、システムは、少なくとも１つの構成ファイルを装置上に記憶するための記憶装置を備えることができる。
【０００４】
この概要は、以下の詳細な説明において更に記述される概念を簡単な形で紹介するために提供される。この概要は、特許請求された主題の主な特徴又は必須の特徴を識別することを意図してはおらず、特許請求された主題の範囲を決定する助けとして用いられることを意図してもいない。
【０００５】
詳細な説明
図１は、本発明のシステムの実施の形態を示すブロック図である。本システムは、ネットワーク１１０を介して複数のメディア装置１１２、１５０と通信することができる複数のホスト装置１０２、１３０を備える。ホスト装置１０２は、通信インターフェースを介して他の装置と情報を通信することができる、サーバ、パーソナルコンピュータ及び他の計算装置を備えることができる。ホスト装置１０２はメモリ１０４、処理ユニット１０８、通信インターフェース１１０及び構成ファイル生成部１２８を備えるが、これらに限定されない。通信インターフェース１１０は、メディア装置１１２、１５０がホスト装置１０２に直接にプラグインされることを必要とするインターフェース、又は、メディア装置がインターネットを介してホスト装置に接続されることを許容するインターフェースである。或る実施の形態においては、メディア装置１１２、１５０は無線インターフェースを介してホスト装置１０２と接続される。
【０００６】
構成ファイル生成部１２８は、メモリ１０４に記憶される構成ファイル１０６を生成する。構成ファイル１０６は、装置特性及び特定ユーザ向け特性を調整し修正するために生成される。ホスト装置１０２は、構成ファイル１０６が生成されてメモリ１０４に記憶されると、構成ファイル１０６を管理することができる。構成ファイルの管理は、必要なときに構成ファイルを設定し、バックアップし、修復することを含む。装置特性は、ユーザがメディア装置に対する所望の性能を得るために調整することができる、メディア装置の異なる設定を含むことができる。例えば、デジタルカメラに対する設定は、絞り設定、露光時間、ズームモード、フラッシュ等を含む。特定ユーザ向け特性は、ユーザプロフィールを形成するためにユーザが生成し調整することができる嗜好と設定を含むことができる。ユーザがログインを成功裡に完了するときは常に、ユーザプロフィールは記憶され、その後に適用される。例えば、ユーザは、配色、背景の壁紙、フォントサイズ等の特定ユーザ向け特性を調整することによって、パーソナルコンピュータ（ＰＣ）上にユーザプロフィールを生成することができる。ユーザプロフィールは、特定のユーザのための構成ファイルとして記憶されるので、ユーザが成功裡にログインを完了したときには常に適用可能である。装置特性及び特定ユーザ向け特性を含む構成ファイルが生成されると、次いで、構成ファイルはメディア装置へ送られて適用される。構成ファイル１０６を生成し、その後、構成ファイルを送信して適用する方法については後述する。
【０００７】
メディア装置１１２、１５０は、異なるカテゴリに属する複数のメディア装置を代表する。これらのメディア装置は、デジタルスティルカメラ装置、（画像捕捉機能を持つ又は持たない）デジタルビデオカメラ、パーソナル音楽プレイヤやパーソナルビデオプレイヤ等の携帯メディアプレイヤ、（メディア捕捉／再生能力を持つ又は持たない）携帯電話、車両用メディアシステム及び他のメディア装置を含む。典型的には、メディア装置１１２、１５０は、それぞれ別個の組の特性を有するカテゴリに分けられる。
【０００８】
メディア装置１５０は、一般に、メディア装置１１２に認められるのと同様の計算要素を備える。メディア装置１１２は、メモリ１１４、処理ユニット１２４、通信インターフェース１１８、検知装置１２０及び構成ファイル生成部１３２を備える。通信インターフェース１１８により、メディア装置１１２はホスト装置１０２、１３０及びメディア装置１５０と対話をすることができる。通信インターフェース１１８は、メディア装置１１２がホスト装置１０２、１３０及びメディア装置１５０と直接にプラグインされることを必要とするインターフェース、又は、メディア装置１１２がインターネットを介してホスト装置及びメディア装置と接続されることを許容するインターフェースである。或る実施の形態においては、メディア装置１１２は無線インターフェースを介してホスト装置１０２、１３０及びメディア装置１５０と接続される。
【０００９】
通信インターフェース１１８は、共通通信プロトコルを共有することにより、メディア装置１１２がホスト装置及び他のメディア装置と通信することを許容する。こうしたプロコルの一つはメディア・トランスファ・プロトコル（ＭＴＰ）である。ＭＴＰは、記憶装置付きの携帯メディア装置上でコンテンツを管理するために開発された。ＭＴＰは既存のプロトコルすなわちピクチュア・トランスファ・プロトコル（ＰＴＰ）に基づくものであり、ＰＴＰと完全に両立するよう実装されることができる。ＭＴＰの主要目的は、コンピュータ又は他のホスト装置と接続し、データを交換し、次いでスタンドアロン装置として切り離す装置の間の通信を容易にすることである。ＭＴＰの副次的な目的は、接続された装置の統御と制御を可能にすることである。これは、装置機能の遠隔制御、装置が開始したイベントの監視、並びに、装置及び特定ユーザ向け特性の読み出し及び設定を含む。
【００１０】
更に、メディア装置１１２は構成ファイル生成部１３２を備えることができる。また、構成ファイル生成部１３２はメディア装置１１２内で構成ファイルを生成するのに用いられる。メディア装置１１２内に構成ファイル生成部を備えることは、メディア装置に対する特定の最適性能レベルを得るようメディア装置内で或る設定を構成する方法を知ることに熟練しているユーザにとって有利である。
【００１１】
メモリ１１４は構成ファイル１１６を記憶することができる。構成ファイル１１６は、ホスト装置１０２から以前に受信した構成ファイルと、構成ファイル生成部１３２から生成された構成ファイルとを表すことができる。構成ファイル１０６がホスト装置１０２から受信されて記憶されると、構成ファイルは、ホスト装置１０２又はメディア装置１１２によって構成ファイルの送信の前に指示された条件にしたがって適用され、その後に記憶される。構成ファイルが構成ファイル生成部１３２によって生成されると、構成ファイル１１６はメディア装置１１２又はユーザの希望にしたがって適用され、その後に記憶される。構成ファイルを取り出す方法については後述する。
【００１２】
検知装置１２０は、構成ファイル１０６をホスト装置１０２から自動的に取り出す時点をメディア装置に知らせるために用いられる。検知装置１２０は、メディア装置１１２が構成ファイルを利用することができるように、周囲状態が変化したときを検知するセンサ及び論理を備える。こうした状態は、メディア装置がホスト装置又は他のメディア装置に接続されていること、メディア装置がホスト装置又は他のメディア装置の或る近傍内に来たこと、及び、メディア装置を囲む照明が明るく又は暗くなったことを含む周囲状態の変化を含む。検知装置１２０を用いて、構成ファイルを自動的に取り出す時点を決定する方法については後述する。
【００１３】
ホスト装置１３０は、ホスト装置１０２に認められるのと同様の計算要素を備えることができる。更に、ホスト装置１３０は検知装置１４０を備える。ホスト装置１３０は、例えば、ユーザが所有するメディア装置１１２が物理的にホスト装置１３０にアプローチして構成ファイル１０６を取り出す端末であり得る。検知装置１４０は周囲状態の変化を監視するためのセンサ及び論理を備えることができる。こうした状態は、メディア装置がホスト装置１３０に接続されていること、メディア装置がホスト装置１３０の或る近傍内に来たこと、及び、ホスト装置１３０を囲む照明が明るく又は暗くなったことを含む周囲状態の変化を含むことができる。ユーザが物理的にアプローチできる検知装置を備えるホスト装置の存在は、検知装置を備えておらず、無線ネットワークによってホスト装置と接続することができない低レベルのメディア装置を有するユーザにとって有利であり得る。
【００１４】
本発明は、予め構成された装置設定及び特定ユーザ向け設定を生成して、これら設定を、メディア装置に直接転送されることができる構成ファイルに予め記憶し、もって、メディア装置又はメディア装置のユーザが自動的に又はマニュアルで任意の時点にメディア装置を設定によって構成することを可能にする。図２は、本発明内で構成ファイルを生成し取り出すための実施の形態を示すブロック図である。図１及び図２を参照すると、或る実施の形態においては、構成ファイル１０６は構成ファイル生成部１２８によって生成され、次いで、２０２でメモリ１０４に記憶される。こうした実施の形態においては、ホスト装置１０２は遠隔の場所にあり、遠隔のユーザによって操作される。遠隔のユーザは構成ファイル１０６を生成して、関連するメディア装置を所有するユーザに提供する。代わりの実施の形態においては、ホスト装置１０２は、ユーザがメディア装置１１２とホスト装置１０２を操作することができる遠隔の場所にある。こうした実施の形態においては、ユーザは構成ファイル生成部１２８を用いて構成ファイル１０６を生成することができる。ユーザは、それぞれの通信インターフェース１１８、１２８を用いて、メディア装置１１２とホスト装置１０２を接続することができ、ユーザは構成ファイル生成部１２８を用いて全部の特性及び能力についてメディア装置１１２に質問することができる。
【００１５】
ホスト装置１０２がメディア装置１１２の特性と能力を取得すると、ホスト装置はこれらの特性及び能力をグラフィカル・ディスプレイ上のユーザインターフェースにおいてユーザに提示する。次いで、生成プロセスを簡略化するよう、ホスト装置１０２のグラフィカル・ディスプレイとユーザ入力装置を用いて、ユーザは構成ファイル１０６を生成することができる。更に他の実施の形態においては、構成ファイル１０６は構成ファイル生成部１３２によって生成され、次いでメモリ１１４に記憶される。この実施の形態の利点は、ユーザはメディア装置上で利用可能な全部の異なる特性及び設定を利用することができ、ユーザはこれら特性及び設定をその嗜好にしたがって修正することができることである。例えば、デジタルスティルカメラのようなメディア装置を操作するユーザは、絞り、露光時間、フラッシュ設定、ズームモード等を設定するための共通の制御を用いることができ、また、こうした設定をメディア装置のレンズ及びユーザインターフェースを操作することによってナビゲートすることができる。ホスト装置１０２が構成ファイル１０６を生成すると、メモリ１０４に記憶される前に、構成ファイル１０４に、構成ファイル１０６を識別するために用いられる記述識別子が割り当てられる。
【００１６】
再び図１及び図２を参照すると、構成ファイル１０６が生成されて記憶されると、メディア装置が構成ファイルにアクセスできるよう、２０４でホスト装置１０２は構成ファイル１０６を公開する。遠隔のユーザが構成ファイル１０６を生成した実施の形態においては、遠隔のユーザは例えば、ホスト装置１０２上で又は他のホスト装置上でウェブサイトに構成ファイルを公開することができる。更に、別のメディア装置上で構成ファイルを公開し、当該別のメディア装置に接続されたメディア装置が構成ファイルを取り出すことができるようにしてもよい。
【００１７】
検知装置１２０の使用により、２０６で、メディア装置１１２は、メディア装置が構成ファイル１０６を利用することができるよう、周囲の状態が変更された時点を検知することができる。こうした状態は、メディア装置がホスト装置に接続されていること、メディア装置がホスト装置の或る近傍内に来たこと、及び、メディア装置を囲む照明が明るく又は暗くなったことを含む周囲状態の変化を含むことができる。状態が変わったかどうかを決定する際に、メディア装置１１２は、メディア装置の製造者によってプレインストールされたデフォルト構成ファイルを備えることができる。代わりに、ユーザは、その後に生成され又は検索された構成ファイルをデフォルト構成ファイルとして設定してもよい。メディア装置は、晴れた日、雨の日、夜間等の所定の数の共通の状態に対して、また、メディア装置が他のメディア装置又はホスト装置に接続されていないときに対して、複数のデフォルト構成ファイルを備えることができる。検知装置１２０は、メディア装置を囲むそのときの状態を連続的に測定し、測定された状態を、ユーザ又は製造者によって設定されて予め記憶されたデフォルト構成ファイルを比較する。別の実施の形態においては、検知装置１２０はそのときの状態を周期的に測定し、その状態と予め記憶されたデフォルト構成ファイルとを比較する。測定結果と記憶されたデフォルト構成ファイルとの間に一致がないならば、検知装置はメディア装置に対し、メディア装置の周囲状態の変化が起きたことを知らせ、メディア装置は自動的にホスト装置にコンタクトし、その必要性に合致する構成ファイルを取り出す。別の実施の形態においては、メディア装置１１２はメモリ１１４を検索し、ホスト装置にコンタクトする前に、必要性に合致する構成ファイルが存在するかどうかを最初に決定する。構成ファイルが取り出されて適用されると、新たに適用された構成ファイルは、測定された状態を検知装置が比較するデフォルト構成ファイルとなる。
【００１８】
前述のとおり、ホスト装置１３０は更に検知装置１４０を備える。再び、ホスト装置１３０は、例えば、ユーザが処理するメディア装置１１２が物理的にホスト装置１３０に接触して構成ファイル１０６を取り出す端末である。また、検知装置１４０は、メディア装置が構成ファイル１０６を利用することができるよう、状態が変化した時点を検知することができる。検知装置１４０は、メディア装置１１２が位置する特定の場所に対して最適化される。ホスト装置１３０は、検知装置を備えておらず且つ無線ネットワークを介してホスト装置と接続されることができないメディア装置に対して有益である。例えば、ユーザは遊園地におり、検知装置を備えておらず且つ無線ネットワークを介してホスト装置と接続されることができない低レベルの使い捨てデジタルカメラを所有する。このユーザは、そのときの周囲状態を考慮するようデジタルカメラを調整することを望むが、それを上手に行う方法を知らない。遊園地には、そのときの周囲状態を測定することができる検知装置を備えた写真端末が存在し得る。写真端末は、そのときの周囲状態とユーザがデジタルカメラに対してダウンロードできるデジタルカメラの能力とに従って、構成ファイルを生成することができる。
【００１９】
メディア装置が構成ファイル１０６を利用することができるように或る周囲状態が変化したことを検知装置１２０が決定すると、２０８において、メディア装置１１２は自動的にホスト装置１０２から構成ファイルを取り出すことができ、代わりに、メディア装置１１２は自動的に他のメディア装置から構成ファイルを取り出すことができる。ホスト装置又は他のメディア装置とのインターネット接続の場合には、メディア装置１１２が構成ファイルを取り出す特定のホスト装置又は他のメディア装置を予め決めておくことができる。この所定のホスト装置又は他のメディア装置は、メディア装置のインターネットサービスプロバイダ（ＩＳＰ）によって設定されることができ、又は、メディア装置のユーザによって設定されることができる。他の実施の形態においては、メディア装置１１２は最初にメモリ１１４を検索し、要求に合致する構成ファイルが存在するかどうかを調べてから、ホスト装置１０２又は他のメディア装置に接触する。メディア装置１１２が自己のメモリ１１４内に構成ファイルを発見すると、メディア装置は自動的に自己のメモリ１１４内から構成ファイル１１６を取り出して適用することができる。代わりに、メディア装置１１２のユーザは、検知装置１２０が周囲状態の変化を検知するのを待つことなく、構成ファイルをマニュアルで取り出すことができる。例えば、ユーザはホスト装置と単に接触し（ホスト装置のウェブサイトを訪れることを含む）、構成ファイルをオンデマンドでダウンロードすることができる。
【００２０】
メディア装置がホスト装置１０２からの構成ファイル１０６又は他のメディア装置からの構成ファイルを取り出す用意ができると、構成ファイルがメディア装置１１２へ転送される。再び、ＭＴＰは、構成ファイルをメディア装置１１２へ転送するために用いることができる通信プロトコルの一例である。メディア装置がホスト装置１０２に接続すると、メディア装置は、メディア装置の特性と、フォントサイズ、色彩配合、壁紙背景等を変更できる能力と、メディア装置が含む異なる設定と、メディア装置が修正することができる設定とをホスト装置に伝える。ホスト装置はメディア装置の特性と能力とに関するこうした情報を取り込み、メディア装置に関する知識を作り上げる。次いで、ホスト装置は、メディア装置に接続しているときにメディア装置から学んだ全てのものに基づいて、メディア装置に対する構成ファイルを知的に準備することができる。次いで、ホスト装置は、ホスト装置上に記憶された構成ファイル間でメディア装置の能力に対して調整された所要の設定をメディア装置のそのときの状態と同期させる。
【００２１】
構成ファイルが取り出されると、メディア装置は構成ファイル内のデータを構文解析し、２１０において、その要求にしたがって自動的に構成ファイルを適用することができる。或る実施の形態においては、メディア装置１１２又はホスト装置１０２のユーザは、ホスト装置がメディア装置へ構成ファイル１０６を転送する前に、構成ファイル１０６をどのように適用するかを決定することができる。例えば、ユーザは、将来の時点に使用するためにメディア装置上にプロフィールを記憶しておくことだけを望むことを決定するかもしれない。代わりに、ユーザは、取り出し時にメディア装置に構成ファイルを適用するよう指示するかもしれない。ホスト装置は、例えば、メディア装置に対して構成ファイルを直ちに適用し、使用後に構成ファイルを捨てるよう、指示することができる。
【００２２】
図３は、メディア装置によって取り出されている特定ユーザ向け構成ファイルを示す実施の形態を図示している。パーソナルコンピュータのようなホスト装置は、ユーザの嗜好に合うように動作を個人化しカスタマイズされることができる。これは複数のユーザが同一のホスト装置を利用する場合を含む。また、多くの共有されたホスト装置は、ユーザプロフィールと呼ばれる一群のユーザ嗜好を維持することができる。ユーザプロフィールはホスト装置上で生成され、ホスト装置上に特定ユーザ向け構成ファイルとして記憶される。メディア装置がホスト装置１０２に接続すると、メディア装置は、図１及び図２で概説した手順を介して、特定ユーザ向け構成ファイルを自動的に取り出すことができる。
【００２３】
図３において、特定ユーザ向け構成ファイルを生成してあって該構成ファイルをホスト装置１０２上に既に記憶させているユーザに対しては、ホスト装置１０２は、許可されたユーザとしてユーザを立証するためにログインを完了するよう、グラフィカル・ディスプレイ３０２を介してユーザに指示する。グラフィカル・ディスプレイ３０２において、ユーザ名「userone」を持つユーザは、自分のカスタマイズされたユーザプロフィールへ導かれるように、そのユーザ名とパスワードを入力する。ユーザが成功裡にログインを満足させると、グラフィカル・ディスプレイ３０４に示すように、「userone」に対するユーザプロフィールに対応する特定ユーザ向け構成ファイルが供給される。グラフィカル・ディスプレイ３０４は、特定ユーザ向け構成ファイルを生成して記憶させることにより生成されることができる、カスタマイズされたデスクトップ表示の一例を示している。こうしたカスタマイズされたデスクトップ表示は、図２において検討した手順を用いることによって、特定ユーザ向け構成ファイルの形でメディア装置１１２へ送信されることができる。特定ユーザ向け構成ファイルがメディア装置１１２によって取り出されて適用されると、ユーザは、グラフィカル・ディスプレイ３０２に示されるのと同じユーザ名とパスワードを入力するよう、メディア装置１１２上で指示される。次いで、「userone」に対するユーザプロフィールの全部の他のカスタマイズされた特徴を含む同じデスクトップ表示が、メディア装置１１２のグラフィカル・ディスプレイ上に表示される。
【００２４】
図４は、メディア装置によって取り出されている特定ユーザ向け構成ファイルを示す他の実施の形態を図示している。図４は、グラフィカル・ディスプレイ４０２によって示すように、図３のユーザ名「userone」を持つユーザと同じホスト装置１０２上にログインしようとしている、ユーザ名「usertwo」を持つ第２のユーザを示している。第２のユーザも、対応する特定ユーザ向け構成ファイルにより、ホスト装置１０２にユーザプロフィールを記憶させることができる。第２のユーザがログインを満足させると、グラフィカル・ディスプレイ４０４に示すように、「usertwo」に対するユーザプロフィールに対応する特定ユーザ向け構成ファイルが適用される。グラフィカル・ディスプレイ４０４は、特定ユーザ向け構成ファイルを生成して記憶させることによって生成することができる、カスタマイズされたデスクトップ表示の一例を示している。こうしたカスタマイズされたデスクトップ表示は、図２を参照して検討した手順を用いることによって、特定ユーザ向け構成ファイルの形でメディア装置１１２へ送信されることができる。特定ユーザ向け構成ファイルがメディア装置１１２によって取り出されて適用されると、ユーザは、グラフィカル・ディスプレイ４０２に示されるのと同じユーザ名とパスワードを入力するよう、メディア装置１１２によって指示される。次いで、「usertwo」に対するユーザプロフィールの全部の他のカスタマイズされた特徴を含む同じデスクトップ表示が、メディア装置１１２のグラフィカル・ディスプレイ上に表示される。
【００２５】
本発明の特定の実施の形態を図示し詳細に検討してきたが、理解されるように、発明の範囲及び意図から逸脱することなく、種々の変更と修正を行うことができる。ここで説明した実施の形態は全ての点で例示であり、限定的ではない。本発明が関係する当業者には、本発明の班にから逸脱しない代替の実施の形態は明らかであろう。
【００２６】
上で説明した事項から分かるように、この発明は、システムと方法にとって明らかであり且つ固有の他の利点とともに、上述の全部の目的を達成するよう適応されたものである。
理解されるように、或る特徴及びサブコンビネーションが利用でき、他の特徴及びサブコンビネーションを参照することなく採用できる。これは特許請求の範囲内にあると考えられる。
【図面の簡単な説明】
【００２７】
【図１】発明のシステムの実施の形態を示すブロック図を示す図である。
【図２】構成ファイルを生成し取り出すための実施の形態を示すブロック図を示す図である。
【図３】メディア装置から取り出されている特定ユーザ向け構成ファイルを示す実施の形態を示す図である。
【図４】メディア装置から取り出されている特定ユーザ向け構成ファイルを示す他の例を示す図である。
【図１】
2008547126.tif 000003
【図２】
2008547126.tif 000004
【図３】
2008547126.tif 000005
【図４】
2008547126.tif 000006
【国際調査報告】
2008547126.tif 000007